【事件の表示】
　特願２００９−１１３４９６「コネクタ」拒絶査定不服審判事件〔平成２２年１１月１８日出願公開、特開２０１０−２６２８４９〕について、次のとおり審決する。
【結　論】
　本件審判の請求は、成り立たない。
【理　由】
 第１．手続の経緯 
　本願は、平成２１年５月８日の出願であって、平成２５年１２月３日付け（平成２５年１２月１０日：発送日）で拒絶査定がなされ、これに対し、平成２６年１月２４日に拒絶査定不服審判の請求がなされるとともに、その請求と同時に手続補正がなされたものである。
　そして、平成２６年４月１８日付けで審査官により作成された前置報告がなされ、平成２６年６月９日に上申書が提出されたものである。
　　　 　 
第２．平成２６年１月２４日付けの手続補正についての補正却下の決定 
［補正却下の決定の結論］ 
　平成２６年１月２４日付けの手続補正（以下、「本件補正」という。）を却下する。 
 　 
［理由］ 
１．補正後の本件発明 
　本件補正は、特許請求の範囲の請求項１について、
「複数の端子収容室が並設されたコネクタハウジングと、このコネクタハウジングの係止具挿入部に組み付けられて前記端子収容室に収容された端子金具と係合し前記端子収容室内からの抜けを阻止する端子係止具とを備えたコネクタであって、
　前記係止具挿入部が前記コネクタハウジングの外周に形成された係止具挿入開口と、前記端子係止具の前記係止具挿入開口から内部に挿入される係止具挿入凹部とで形成され、
　前記端子係止具は前記係止具挿入部に組み付けられた状態で前記係止具挿入開口を塞ぐ長尺状の蓋体と、この蓋体の長手方向の両側に設けられた一対の係止側板と、前記一対の係止側板間で前記蓋体から並設された極間壁と、この極間壁と一方の係止側板間とを連結し前記蓋体と平行に設けられた連結蓋体とからなり、
　前記端子係止具の前記一対の係止側板には前記係止具挿入部内の仮係止部に係合する仮係止突起及び前記係止具挿入部内の第１本係止部に係合する第１本係止突起とが設けられ、
　前記蓋体の前記極間壁の近傍に前記係止具挿入部内の第２本係止部に係合する第２本係止突起を設け、
　前記極間壁には、前記第２本係止部への前記第２本係止突起の係合状態を案内すると共に、前記係止具挿入部内の係止溝に係合するリブが設けられていることを特徴とするコネクタ。」
　とあったものを
「複数の端子収容室が並設されたコネクタハウジングと、このコネクタハウジングの係止具挿入部に組み付けられて前記端子収容室に収容された端子金具と係合し前記端子収容室内からの抜けを阻止する端子係止具とを備えたコネクタであって、
　前記係止具挿入部が前記コネクタハウジングの外周に形成された係止具挿入開口と、前記端子係止具の前記係止具挿入開口から内部に挿入される係止具挿入凹部とで形成され、
　前記端子係止具は前記係止具挿入部に組み付けられた状態で前記係止具挿入開口を塞ぐ長尺状の蓋体と、この蓋体の長手方向の両側に設けられた一対の係止側板と、前記一対の係止側板間で前記蓋体から並設された極間壁と、この極間壁と一方の係止側板間とを連結し前記蓋体と平行に設けられた連結蓋体とからなり、
　前記端子係止具の前記一対の係止側板には前記係止具挿入部内の仮係止部に係合する仮係止突起及び前記係止具挿入部内の第１本係止部に係合する第１本係止突起とが設けられ、
　
前記端子収容室は、小径の電線の端末に接続された小端子金具が収容される小端子用収容室と、この小端子用収容室より大きく大径の電線の端末に接続された大端子用収容室とからなり、前記大端子用収容室と前記小端子用収容室との間に前記極間壁が設けられ、前
　前記極間壁には、前記第２本係止部への前記第２本係止突起の係合状態を案内すると共に、前記係止具挿入部内の係止溝に係合するリブが設けられていることを特徴とするコネクタ。」
　と補正するものである。（下線は補正箇所を示すために審判請求人が付したものである。）
　
　上記補正は、実質的に補正前の請求項１に記載された発明を特定するために必要な事項としての「端子収容室」に関して、「小径の電線の端末に接続された小端子金具が収容される小端子用収容室と、この小端子用収容室より大きく大径の電線の端末に接続された大端子用収容室とからなり、前記大端子用収容室と前記小端子用収容室との間に前記極間壁が設けられ」との限定を付加すものであり、かつ、補正前の請求項１に記載された発明と、補正後の請求項１に記載される発明の産業上の利用分野及び解決しようとする課題が同一であるので、本件補正は、特許法第１７条の２第５項第２号の特許請求の範囲の減縮を目的とするものに該当する。
　そこで、本件補正後の前記請求項１に記載された発明（以下、「本件補正発明」という。）が特許出願の際独立して特許を受けることができるものであるか（特許法第１７条の２第６項において準用する同法第１２６条第７項の規定に適合するか）について以下に検討する。
　 
２．記載要件について
　本件補正発明の「極間壁」は、請求項１の６行〜８行の「前記端子係止具は前記係止具挿入部に組み付けられた状態で前記係止具挿入開口を塞ぐ長尺状の蓋体と、この蓋体の長手方向の両側に設けられた一対の係止側板と、前記一対の係止側板間で前記蓋体から並設された極間壁」との記載によれば、「端子係止具」の構成要素の一部であるのに対し、請求項１の１４行の「前記大端子用収容室と前記小端子用収容室との間に前記極間壁が設けられ」との記載によれば、大端子用収容室と小端子用収容室との間、つまり「コネクタハウジング」の構成要素の一部になっているから、両者の記載は矛盾しており、「極間壁」の配置が不明確となっている。
　また、本件明細書の記載（段落【００３４】〜段落【００３７】、段落【００４３】）及び図面（【図１】、【図２】、【図５】、【図８】）によれば、「極間壁」は「端子係止具」の構成要素の一部であり、その具体的な配置は、大端子用収容室に対応した端子挿入部と小端子用収容室に対応した端子挿入室との間となっているから、本件補正発明の「前記大端子用収容室と前記小端子用収容室との間に前記極間壁が設けられ」との特定事項は、明細書及び図面の記載内容と整合していない。
　よって、本件出願（本件補正発明）は、特許法３６条第６項１号及び同項第２号に規定する要件を満たしていないから、特許出願の際独立して特許を受けることができない。
　
３．進歩性について
（１）本件補正発明
　上述のとおり、本件出願（本件補正発明）は、記載要件を満たしていないが、本件明細書の記載内容及び図示内容と整合性をとり、本件補正発明の「大端子用収容室と前記小端子用収容室との間に前記極間壁が設けられ」は「前記大端子用収容室に対応した端子挿入部と前記小端子用収容室に対応した端子挿入室との間に前記極間壁が設けられ」の誤りであるとして検討を進める。
　よって、本件補正発明は以下のとおりに捉えることができる。（下線は、当審において修正した部分）
「複数の端子収容室が並設されたコネクタハウジングと、このコネクタハウジングの係止具挿入部に組み付けられて前記端子収容室に収容された端子金具と係合し前記端子収容室内からの抜けを阻止する端子係止具とを備えたコネクタであって、
　前記係止具挿入部が前記コネクタハウジングの外周に形成された係止具挿入開口と、前記端子係止具の前記係止具挿入開口から内部に挿入される係止具挿入凹部とで形成され、
　前記端子係止具は前記係止具挿入部に組み付けられた状態で前記係止具挿入開口を塞ぐ長尺状の蓋体と、この蓋体の長手方向の両側に設けられた一対の係止側板と、前記一対の係止側板間で前記蓋体から並設された極間壁と、この極間壁と一方の係止側板間とを連結し前記蓋体と平行に設けられた連結蓋体とからなり、
　前記端子係止具の前記一対の係止側板には前記係止具挿入部内の仮係止部に係合する仮係止突起及び前記係止具挿入部内の第１本係止部に係合する第１本係止突起とが設けられ、
　前記端子収容室は、小径の電線の端末に接続された小端子金具が収容される小端子用収容室と、この小端子用収容室より大きく大径の電線の端末に接続された大端子用収容室とからなり、前記大端子用収容室
に対応した端子挿入部
に対応した端子挿入室
　前記極間壁には、前記第２本係止部への前記第２本係止突起の係合状態を案内すると共に、前記係止具挿入部内の係止溝に係合するリブが設けられていることを特徴とするコネクタ。」
　
（２）引用文献の記載事項 
・原査定の拒絶の理由に引用された、本願の出願前に頒布された刊行物である特開２００６−２３６６９５号公報（以下、「引用文献１」という。）には、「コネクタ」に関し、図面と共に、以下の事項が記載されている。（下線は、当審で付与した。以下、同様。）　
ア．「【請求項１】
複数の端子金具を幅方向に並列して収容可能なキャビティ
端子金具を抜け止め状態で保持するリテーナ
　前記リテーナは、前記リテーナ装着孔に対して正規深さで装着されたときに前記ハウジングの被係止面に係止可能な係止面を有する係止手段を備えてなるものであって、
　前記係止手段は、前記リテーナの幅方向両端部に配置される端側係止部と、これら端側係止部の間に配置される中間係止部とからなり、さらに、
　前記ハウジングの被係止面に対する前記
中間係止部の係止強度を、前記ハウジングの被係止面に対する前記端側係止部の個々の係止強度よりも大きく設定した
　
イ．「【発明が解決しようとする課題】
【０００３】
　ところで、コネクタの多極化によりキャビティが幅方向に複数並列されると、これに伴いリテーナが長尺となる。すると、リテーナの幅方向両端部では係止部と被係止部とによるロックが掛かるものの、
リテーナの幅方向中央部ではその強度不足に起因して弓なりに反り変形する事態が起こり得た。
【０００４】
　本発明は上記のような事情に基づいて完成されたものであって、端子金具が半挿入状態で置かれるのを防止することを目的とする。」
　
ウ．「【００１２】
　
ハウジング１０は、
複数列のキャビティ１２が備えられ
端子金具３０を
係止
【００１３】
　ハウジング１０には三つのキャビティ群１４が仕切壁１５によって互いに隔てられた状態で横並びに設けられている。仕切壁１５の上面側及び下面側には雄コネクタとの嵌合動作を案内するための案内溝１６が前後方向に延出して形成されている。
　また、ハウジング１０の底面には、図８に示すように、後述する
リテーナ５０を装着するためのリテーナ装着孔１７が開口して形成されている。リテーナ装着孔１７は、ハウジング１０の底面において仕切壁１５を横断しつつほぼ全幅に亘って開口し、上下二段の各キャビティ１２に連通する深さをもって切り込まれている。
【００１４】
　端子金具３０について簡単に説明すると、端子金具３０は、金属板材に曲げ加工を施すことで前後に細長い形態をなし、図２に示すように、相手側となる雄端子金具（図示せず）を挿入可能な接続筒部３１と電線８０の端末に接続されたバレル部３２とを前後に連ねた周知の雌型端子金具である。
【００１５】
　続いて、
リテーナ５０
ハウジング１０における下段のキャビティ１２に対応して複数の窓孔５２
基部５１の上端
キャビティ１２に対応して両側壁５４
【００１６】
　基部５１において仕切壁１５と対応する位置には連結部５６が介設されている。連結部５６の下面側はトンネル状に抉られた逃がし溝５７とされ、この逃がし溝５７がハウジング１０側の案内溝１６と連通して雄コネクタの嵌合動作を案内するようになっている。また連結部５６の上面側は両側壁５４に挟まれた嵌合溝５８とされ、この嵌合溝５８がハウジング１０におけるリテーナ装着孔１７のリブ１８に嵌まってリテーナ５０を幅方向に位置決めするようになっている。
【００１７】
　
基部５１の下面は、リテーナ装着孔１７の開口を閉止可能な大きさの水平板状をなし
　
エ．「【００２０】
　また、
リテーナ５０には、基部５１の両端に連なって左右一対の端側係止部６１が形成されている。
【００２１】
　仮係止用の脚片６２の先端部には
仮係止用の係止爪６４
本係止用の係止爪６５
【００２２】
　
ハウジング１０には、
仮係止用の突部２４と本係止用の突部２５
【００２３】
　また、
リテーナ５０には、各端側係止部６１の間に位置して中間係止部６８が形成されている。詳しくは中間係止部６８は、リテーナ５０の中央部に一つ配置され
本係止用の係止爪６５
　ハウジング１０には中間係止部６８と対応する位置に中間被係止部２６が形成されている。中間被係止部２６内には、図１０の（Ｂ）に示すように、前後で対向する壁面が切り立っており、その後側の壁面に本係止用の突部２５が内向きに突出している。
本係止用の突部２５
　
オ．「【００３２】
　＜他の実施形態＞
　本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
　・・・
　（２）上記実施形態では、中間係止部がリテーナの幅方向中央部に一つ配置されていたが、本発明においては、
中間係止部が端側係止部の間のいずれの位置に配置されていてもよく
　・・・」
　
カ．【図５】、【図７】、及び【図１１】ないし【図１３】には、キャビティ１２が、小端子用キャビティと、この小端子用キャビティより大きい大端子用キャビティとからなることが示されている。また、記載事項ウ．段落【００１５】には、キャビティ１２に対応してリテーナ５０に窓部５２を形成することが記載されているから、リテーナ５０は、小端子用キャビティに対応した窓孔と大端子用キャビティに対応した窓孔が形成されていることが理解できる。
 　
キ．記載事項ウ．段落【００１５】、記載事項エ．段落【００２３】の記載内容及び【図５】によれば、リテーナ５０は、左右一対の端側係止部６１間で基部５１の下面に並設された、中間係止部６８が形成されている側壁５４を有するものであり、リテーナ５０の中央部に位置する２つの小端子用収容室に対応した窓孔との間に、中間係止部６８が形成されている側壁５４が配置されているものといえる。
　　
　これら記載事項、図示内容及び認定事項を総合し、本件補正発明の記載ぶりに倣って整理すると、引用文献１には、次の発明（以下、「引用発明」という。）が記載されている。 
「複数列のキャビティ１２が備えられたハウジング１０と、このハウジング１０のリテーナ装着孔１７に装着されて前記キャビティ１２に収容可能な端子金具３０と係止し前記キャビティ１２内で抜け止め状態で保持するリテーナ５０とを備えたコネクタであって、
　前記リテーナ装着孔１７が前記ハウジング１０の底面にほぼ全幅に亘って開口し、上下二段の各キャビティ１２に連通する深さをもって切り込まれて形成され、
　前記リテーナ５０は前記リテーナ装着孔１７に装着された状態で前記開口を閉止可能な大きさの水平板状の基部５１の下面と、この基部５１の下面の両端に連なって形成された左右一対の端側係止部６１と、前記左右一対の端側係止部６１間で前記基部５１の下面に並設された、中間係止部６８が形成されている側壁５４と、この中間係止部６８が形成されている側壁５４と端側係止部６１間とを連結し前記基部５１の下面と平行に設けられた基部５１の上端とからなり、
　前記リテーナ５０の前記左右一対の端側係止部６１には前記リテーナ装着孔１７内の仮係止用の突部２４に係合する仮係止用の係止爪６４及び前記リテーナ装着孔１７内の本係止用の突部２５に係合する本係止用の係止爪６５とが設けられ、
　前記キャビティ１２は、小端子用キャビティと、この小端子用キャビティより大きい大端子用キャビティとからなり、前記リテーナ５０は、前記小端子用キャビティに対応した窓孔と前記大端子用キャビティに対応した窓孔が形成され、前記リテーナ５０の中央部に位置する２つの小端子用キャビティに対応した窓孔との間に前記中間係止部６８が形成されている側壁５４が配置され、前記中間係止部６８が形成されている側壁５４に前記リテーナ装着孔１７内の本係止用の突部２５に係合する本係止用の係止爪６５を設けられているコネクタ。」
　
・原査定の拒絶の理由に引用された、本願の出願前に頒布された刊行物である特開平１１−２０４１８６号公報（以下、「引用文献２」という。）には、「電気コネクタ」に関し、図面と共に、以下の事項が記載されている。
サ．「【０００１】
【発明の属する技術分野】
　本発明は、ワイヤーハーネス等の接続に用いられる電気コネクタにおいて、コネクタハウジングの端子収容室に挿入される端子金具の後抜けを防止するための端子係止具を備えた電気コネクタに関する。」
　
シ．「【００１１】
【発明の実施の形態】
　図１および図２において、Ａは合成樹脂製の
雄コネクタハウジング、Ｂはその下部外周壁１ｂに開口した窓６に装着される合成樹脂製の端子係止具
【００１２】ハウジングＡの上部外周壁１ａには上記雌コネクタハウジングに対するロッキングアーム２が設けられ、内部には上下二段に複数の端子収容室３，３′が並設されている。
【００１３】各端子収容室３において、その上壁３ａから一体に可撓係止腕４が突設され、該可撓係止腕４は端子金具Ｃにおける電気接触部Ｃ1 の後方肩部９に係合して後抜けを阻止する（１次係止）。また、端子収容室３，３′の前端開口部には、端子金具Ｃの前方への抜けを阻止するストッパ壁５が設けられている。
【００１４】ハウジングＡの窓６は、下部外周壁１ｂの中間部において、複数の端子収容室３，３′を横切る方向に設けられ、上下の端子収容室３，３′を区画する仕切壁３ｂにも対応する中窓６′が窓６と上下方向に設けられている。即ち、窓６、中窓６′などは、各段の端子収容室３，３′間の隔壁３ｄ（図２参照）を横切る貫通空間Ｓと連通し、一連の連通空間を形成する。窓６の前方側縁は複数の段部６ａを有して階段状に形成され、後方側縁６ｂ側には上記仕切壁３ｂに達する二つの溝部７，７が適宜間隔をおいて形成され、各溝部７には
端子係止具Ｂに対するロッキングアーム８が上記貫通空間Ｓに臨んで設けられている。
【００１５】ロッキングアーム８は、仕切壁３ｂから垂直にのびる可撓胴体部８ａと、これから窓６側にのびる腕部８ｂとからフック状に形成され、腕部８ｂの先端部外面にはテーパ８ｂ1 が付されている。また、窓６の左右両側の端縁には、端子係止具Ｂに対する仮ロック用の受座６ｃが設けられている。」
　
ス．「【００２８】図５に示す実施例は、
端子係止具Ｂにおける突条１５のロッキングアーム８との係合端面１５ａと反対側の端部にロック解除用突起１８を突設すると共に、ハウジングＡの上部外周壁１ａ側の仕切壁３ｂにそのガイド穴１９を設けたものである。
【００２９】また、
端子係止具Ｂの本ロック時において、ロック解除用突起１８がガイド穴１９に整合して位置決めされるので、端子係止具Ｂのガタツキも防止される。
　
　これら記載事項及び図示内容を総合すると、引用文献２には、次の事項が記載されている。（以下、「引用文献２に記載されている事項」という。）
「雄コネクタハウジングＡにロッキングアーム８及びガイド穴１９設け、端子係止具Ｂに係合端面１５ａ及びロック解除用突起１８設け、ロッキングアーム８が係合端面１５ａに係合するとともに、雄コネクタハウジングＡの窓６，６’内に臨むガイド穴１９に整合するロック解除用突起１８を設ける点。」
　
（３）対比 
　本件補正発明と引用発明とを対比すると、その意味、機能または構造からみて、
　後者の「複数列のキャビティ１２」は前者の「複数の端子収容室」に相当する。以下同様に、「複数列のキャビティ１２が備えられた」「ハウジング１０」は「複数の端子収容室が並設された」「コネクタハウジング」に、「リテーナ装着孔１７」は「係止具挿入部」に、「リテーナ装着孔１７に装着されて前記キャビティ１２に収容可能な」「端子金具３０」は「係止具挿入部に組み付けられて前記端子収容室に収容された」「端子金具」に、「端子金具３０と係止し前記キャビティ１２内で抜け止め状態で保持する」「リテーナ５０」は「端子金具と係合し前記端子収容室内からの抜けを阻止する」「端子係止具」に、それぞれ、相当する。
　また、「リテーナ装着孔１７が前記ハウジング１０の底面にほぼ全幅に亘って開口し、上下二段の各キャビティ１２に連通する深さをもって切り込まれて形成され」ることは、リテーナ５０の挿入開口と挿入凹部が形成されることに他ならないから、「係止具挿入部が前記コネクタハウジングの外周に形成された係止具挿入開口と、前記端子係止具の前記係止具挿入開口から内部に挿入される係止具挿入凹部とで形成され」に相当する。
　後者の「リテーナ装着孔１７に装着れた状態で前記開口を閉止可能な大きさの水平板状の」「基部５１の下面」は前者の「係止具挿入部に組み付けられた状態で前記係止具挿入開口を塞ぐ長尺状の」「蓋体」に相当し、
　後者の「この基部５１の下面の両端に連なって形成された左右一対の」「端側係止部６１」は前者の「この蓋体の長手方向の両側に設けられた一対の」「係止側板」に相当し、
　後者の「左右一対の端側係止部６１間で基部５１の下面に並設された、「中間係止部６８が形成されている側壁５４」は前者の「一対の係止側板間で前記蓋体から並設された」「極間壁」に相当する。
　後者の「この中間係止部６８が形成されている側壁５４と端側係止部６１間とを連結し前記基部５１の下面と平行に設けられた」「基部５１の上端」は前者の「この極間壁と一方の係止側板間とを連結し前記蓋体と平行に設けられた」「連結蓋体」に含まれる。
　後者の「左右一対の端側係止部６１には前記リテーナ装着孔１７内の『仮係止用の突部２４』に係合する『仮係止用の係止爪６４』及び前記リテーナ装着孔１７内の『本係止用の突部２５』に係合する『本係止用の係止爪６５』とが設けられ」は前者の「係止側板には前記係止具挿入部内の『仮係止部』に係合する『仮係止突起』及び前記係止具挿入部内の『第１本係止部』に係合する『第１本係止突起』とが設けられ」に相当し、
　さらに、小端子用キャビティは小径の電線の端末に接続された小端子金具が収容され、小端子用キャビティより大きい大端子用キャビティは大径の電線の端末が接続されることは技術常識であるから、後者の「キャビティ１２は、小端子用キャビティと、この小端子用キャビティより大きい大端子用キャビティとからなり」は前者の「端子収容室は、小径の電線の端末に接続された小端子金具が収容される小端子用収容室と、この小端子用収容室より大きく大径の電線の端末に接続された大端子用収容室とからなり」に相当し、
　後者の「中間係止部６８が形成されている側壁５４に前記リテーナ装着孔１７内の『本係止用の突部２５』に係合する『本係止用の係止爪６５』を設け」は前者の「極間壁の近傍に前記係止具挿入部内の『第２本係止部』に係合する『第２本係止突起』を設け」に相当する。
　
　そうすると、両者は、本件補正発明の用語を用いて表現すると、次の点で一致する。 
[一致点] 
「複数の端子収容室が並設されたコネクタハウジングと、このコネクタハウジングの係止具挿入部に組み付けられて前記端子収容室に収容された端子金具と係合し前記端子収容室内からの抜けを阻止する端子係止具とを備えたコネクタであって、
　前記係止具挿入部が前記コネクタハウジングの外周に形成された係止具挿入開口と、前記端子係止具の前記係止具挿入開口から内部に挿入される係止具挿入凹部とで形成され、
　前記端子係止具は前記係止具挿入部に組み付けられた状態で前記係止具挿入開口を塞ぐ長尺状の蓋体と、この蓋体の長手方向の両側に設けられた一対の係止側板と、前記一対の係止側板間で前記蓋体から並設された極間壁と、この極間壁と一方の係止側板間とを連結し前記蓋体と平行に設けられた連結蓋体とからなり、
　前記端子係止具の前記一対の係止側板には前記係止具挿入部内の仮係止部に係合する仮係止突起及び前記係止具挿入部内の第１本係止部に係合する第１本係止突起とが設けられ、
　前記端子収容室は、小径の電線の端末に接続された小端子金具が収容される小端子用収容室と、この小端子用収容室より大きく大径の電線の端末に接続された大端子用収容室とからなり、
　前記極間壁の近傍に前記係止具挿入部内の第２本係止部に係合する第２本係止突起を設けられているコネクタ。」
　
　そして、両者は次の点で相違する。 
[相違点１] 
　「極間壁」の配置に関し、
　本件補正発明は、大端子用収容室に対応した端子挿入部と小端子用収容室に対応した端子挿入室との間であるのに対し、
　引用発明は、リテーナ５０の中央部に位置する２つの小端子キャビティに対応した窓孔との間である点。
　
[相違点２] 
　「極間壁」の構造に関し、
　本件補正発明は、第２本係止部への第２本係止突起の係合状態を案内すると共に、係止具挿入部内の係止溝に係合するリブが設けられているのに対し、　
　引用発明は、かかる構造を有していない点。　
　
（４）判断 
・[相違点１]について検討する。
　コネクタの端子用収容室の構造は、電気機器の配線形態（配線数、配線の種類、及び配線の径、配線の位置等）、若しくは相手側のコネクタの端子用収容室の構造に適合させて、端子用収容室の数や大きさ、及びその配置を決定するのが通常である。
　また、小端子用収容室と大端子用収容室とを有する場合に、コネクタ本体の端子収容室を小端子用収容室の群と大端子用収容室の群とに分けて配置するとともに、これに対応する形でリテーナの端子挿入室も小端子用挿入室の群と大端子用挿入室の群とに分けて配置する構造は、従来周知（特開２００３−１９７３００号公報の【図１】、特開平８−３１５８９４号公報の【図２】及び【図３】、特開平８−１９５２４１号公報の【図５】を参照。）であって、特別な構造ではない。　
　そして、引用発明は、「前記キャビティ１２は、小端子用キャビティと、この小端子用キャビティより大きい大端子用キャビティとからなり、前記リテーナ５０は、前記小端子用キャビティに対応した窓孔と、前記大端子用キャビティに対応した窓孔が形成され」る構造であるところ、電気機器の配線形態、若しくは相手側のコネクタの端子用収容室の構造によっては、小端子用キャビティと大端子用キャビティの両者を群にまとめる必要が生じるものであり、この場合に、当該周知の技術のように、ハウジング１０のキャビティ１２を小端子用キャビティの群と大端子用キャビティの群と分けて配置するとともに、これに対応する形でリテーナ５０の窓孔５２を小端子用の窓孔５２の群と大端子用の窓孔５２の群に分けて配置する構造とすることは当業者における単なる設計変更にすぎない。
　また、引用発明は、引用文献１の記載事項イ．段落【０００３】に記載されるように、リテーナが長尺となり、係止の強度不足に起因して弓なりに変形することを技術的課題としている。加えて、同記載事項オ．には、中間係止部の位置は端側係止部の間でいずれの位置に配置してもよいことが記載されている。
　上述したようにリテーナ５０の窓孔５２を小端子用の窓孔５２の群と大端子用の窓孔５２の群に分けて配置する構造に変更したときには、引用発明の技術的課題に照らし、リテーナ５０の変形を効果的に防止する位置に中間係止部６８が形成されている側壁５４を配置するよう設計するものであり、その際に、電線の径に大小差があり、両者の引張力で不安定な力がかかりやすい位置であり、また、製作上の観点からも区切りのよい位置である大端子用キャビティに対応する窓孔５２と小端子用キャビティに対応する窓孔５２との間に中間係止部６８を形成する側壁５４を配置することは当業者であれば容易になし得ることである。
　よって、引用発明において、上記相違点１に係る本件補正発明の発明特定事項とすることは、当業者が容易に想到し得たことである。
　　
・[相違点２]について検討する。
　引用文献２には、雄コネクタハウジングＡと端子係止具Ｂを位置決めし、ガタツキを防止するために、「雄コネクタハウジングＡにロッキングアーム８及びガイド穴１９設け、端子係止具Ｂに係合端面１５ａ及びロック解除用突起１８設け、ロッキングアーム８が係合端面１５ａに係合するとともに、雄コネクタハウジングＡの窓６，６’内に臨むガイド穴１９に整合するロック解除用突起１８を設ける点。」が記載されている。ここで、引用文献２に記載されている事項の「ロッキングアーム８」、「係合端面１５ａ」、「窓６，６’」、「ガイド穴１９」、「ロック解除用突起１８」は、本件補正発明の「第２本係止部」、「第２本係止突起」、「係止具挿入部」、「係止溝」、「リブ」に、それぞれ相当する。また、ロッキングアーム８と係合端面１５ａの係合と、ガイド穴１９とロック解除用突起１８との整合は、引用文献２の段落【００２８】及び【図６】に示されるように、同一断面上で行われているから、ガイド穴１９に整合するロック解除用突起１８は、ロッキングアーム８への係合端面１５ａの係合状態を案内するものといえるので、引用文献２には、本件補正発明の特定事項のうち、「第２本係止部への第２本係止突起の係合状態を案内すると共に、係止具挿入部内の係止溝に係合するリブ」に相当する構成を開示するものである。  
　そして、引用文献２に記載されている事項は、引用発明と同じコネクタの分野に属し、かつ、コネクタハウジングの開口部に端子係止具を挿入することで、端子金具を係止するという機能でも共通している。また、引用文献１の請求項１には、中間係止部の係止強度を、前記ハウジングの被係止面に対する前記端側係止部の個々の係止強度よりも大きく設定することが記載されているから、引用発明に引用文献２に記載されている事項を適用し、中間係止部６８が形成されている側壁５４の位置の係止強度をさらに上げる動機付けは十分あるものといえる。
　してみると、引用発明に引用文献２に記載されている事項を適用し、引用発明のリテーナ装着孔１７内にガイド穴を設け、中間係止部６８が形成されている側壁５４にロック解除用突起１８を設けて両者を整合し、位置決めする構成を付加することは当業者であれば適宜になし得ることである。
　よって、引用発明において、上記相違点２に係る本件補正発明の発明特定事項とすることは、当業者が容易に想到し得たことである。
　
（３）効果について
　本件補正発明による効果も、引用発明、引用文献２に記載されている事項及び周知技術から当業者が予測し得た程度のものであって、格別のものとはいえない。
　
　したがって、本件補正発明は、引用発明、引用文献２に記載されている事項及び周知技術に基づいて、当業者が容易に発明をすることができたものであるから、特許法第２９条第２項の規定により、特許出願の際独立して特許を受けることができない。 
　
５．むすび 
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
　　　 　 
第３．本願発明について 
１．本願発明 
　本件補正は、上記のとおり却下されたので、本願の請求項１に係る発明は、平成２５年６月１９日に補正された特許請求の範囲の請求項１に記載された事項により特定されるとおりのものであると認められるところ、その請求項１に係る発明（以下、「本願発明」という。）は、前記「第２．１．」に記載したとおりである。
 　 
２．引用文献の記載事項 
　引用文献１及び２の記載事項は、前記「第２．３．（２）」に記載したとおりである。 
 　 
３．対比・判断 
　本願発明は、本件補正発明から、前記「第２．１．」に記載した「小径の電線の端末に接続された小端子金具が収容される小端子用収容室と、この小端子用収容室より大きく大径の電線の端末に接続された大端子用収容室とからなり、前記大端子用収容室と前記小端子用収容室との間に前記極間壁が設けられ」との限定事項を省くものである。そうすると、本願発明の発明特定事項をすべて含み、さらに、前記「第２．１．」の限定事項により減縮したものに相当する本件補正発明が、前記「第２．３．」に記載したとおり、引用発明、引用文献２に記載されている事項及び周知技術に基づいて、当業者が容易に発明をすることができたものであるから、本願発明も、実質的に同様の理由により、引用発明、引用文献２に記載されている事項及び周知技術に基づいて、当業者が容易に発明をすることができたものである。 
　　
４．まとめ 
　したがって、本願発明は、引用発明、引用文献２に記載されている事項及び周知技術に基づいて、当業者が容易に発明をすることができたものであるから、特許法第２９条第２項の規定により、特許を受けることができない。
　
第４．むすび
　以上のとおり、本願発明（請求項１に係る発明）は、特許法第２９条第２項の規定により、特許を受けることができないものであるから、他の請求項に係る発明について検討するまでもなく本願は拒絶すべきものである。
　よって、結論のとおり審決する。